(57)【特許請求の範囲】
【請求項１】
連続的に噴射したインク粒子を帯電電圧の印加により印刷に関与する隣合ったインク粒子間の印刷に関与しない間引くべきインク粒子の数に従って帯電させ、帯電させたインク粒子の帯電電圧を調整することにより偏向電極の間を通過するインク粒子の曲がり方向を制御して被印刷物の所定の位置にインク粒子を打ち付けて、予め印字内容として入力された複数の文字を含む文字列を印刷する荷電制御型インクジェットプリンタにおいて、
前記偏向電極により偏向されたインク粒子の曲がり方向に形成される前記各文字における縦ドット数に応じた前記帯電電圧の大きさ及び前記間引くべきインク粒子の数を予め記憶する記憶手段と、
前記文字列の各文字における前記縦ドット数の最大値を算出する算出手段と、
前記算出手段により算出された前記縦ドット数の最大値に応じた前記帯電電圧の大きさ及び間引くべきインク粒子の数を前記記憶手段から読み出し、読み出した帯電電圧の大きさ及び間引くべきインク粒子の数を設定する設定手段とを備えることを特徴とする荷電制御型インクジェットプリンタ。
【発明の詳細な説明】
【０００１】
【発明の属する技術分野】
本発明は、荷電制御型インクジェットプリンタに関する。
【０００２】
【従来の技術】
圧力（印刷圧）を加えることなく印刷を行うプリンタの一種としてインクジェットプリンタがある。このインクジェットプリンタでは、インクの微細な粒子をノズルから噴射させて被印刷物に打ちつけてドットパターンを形成することにより、印刷処理を行う。このインク粒子の制御方法によって、荷電制御方式とオンデマンド方式とがある。
【０００３】
前者の荷電制御方式では、インク粒子を連続的に噴射させながらパルス電位で帯電させ、偏向電極の間を通過させることにより帯電量に応じて偏向させて被印刷物の所定位置に打ちつけ、ドットパターンを被印刷物に形成して印刷処理を行い、不用なインク粒子はガターと称する回収器で回収し再利用する。なお、この方式を採用する荷電制御型インクジェットプリンタは、インク粒子を連続的に噴射させるので、コンティニュアスインクジェットプリンタとも呼ばれている。これに対して、後者のオンデマンド方式では、複数の電歪振動子を用いて複数のノズルのインク粒子の噴射を制御してドットパターンを被印刷物に形成して印刷処理を行う。
【０００４】
荷電制御型インクジェットプリンタでは、１つの文字または記号を印刷する場合に、インク粒子への帯電量を調節して偏向電極間の電界によって曲がり方向を制御して所定の位置にインク粒子を打ちつけ、ドットパターンを形成する。従って、印刷する文字または記号の縦のドット数が増えるほど、インク粒子を帯電させる際の帯電条件の補正が難しくなり、高速な印刷処理を行えない。
【０００５】
【発明が解決しようとする課題】
従って、従来では、縦のドット数が少ない文字または記号を高速に印刷するために、印刷する文字または記号の縦のドット数に応じて、それぞれに固有の帯電条件を用いていた。ところが、保有できる帯電条件のデータには限界があるので、すべての縦のドット数に対して帯電条件のデータを備えておくことは無理であり、例えば、縦ドット数７ドット用の帯電条件のデータと縦ドット数１６ドット用の帯電条件のデータとしか保有していない。
【０００６】
よって、従来の荷電制御型インクジェットプリンタにあっては、縦何ドットで印刷するかをユーザが指定しなければならないという問題がある。また、上記の例で言えば、縦ドット数７ドットと１６ドットとの文字または記号しか印刷できず、印刷できる文字または記号の縦のドット数が限定されているという問題がある。
【０００７】
本発明は斯かる事情に鑑みてなされたものであり、印刷列の縦ドット数を自動的に求めて最適な帯電電圧の大きさ及び／または印刷に関与する隣合ったインク粒子間の印刷に関与しない間引くべきインク粒子の数を設定するようにしたことにより、縦何ドットで印刷するかをユーザが指定する必要がなくなり、任意の縦ドット数の文字及び／または記号をきれいに印刷することができる荷電制御型インクジェットプリンタを提供することを目的とする。
【０００８】
【課題を解決するための手段】
請求項１に係る荷電制御型インクジェットプリンタは、連続的に噴射したインク粒子を帯電電圧の印加により印刷に関与する隣合ったインク粒子間の印刷に関与しない間引くべきインク粒子の数に従って帯電させ、帯電させたインク粒子の帯電電圧を調整することにより偏向電極の間を通過するインク粒子の曲がり方向を制御して被印刷物の所定の位置にインク粒子を打ち付けて、予め印字内容として入力された複数の文字を含む文字列を印刷する荷電制御型インクジェットプリンタにおいて、前記偏向電極により偏向されたインク粒子の曲がり方向に形成される前記各文字における縦ドット数に応じた前記帯電電圧の大きさ及び前記間引くべきインク粒子の数を予め記憶する記憶手段と、前記文字列の各文字における前記縦ドット数の最大値を算出する算出手段と、前記算出手段により算出された前記縦ドット数の最大値に応じた前記帯電電圧の大きさ及び間引くべきインク粒子の数を前記記憶手段から読み出し、読み出した帯電電圧の大きさ及び間引くべきインク粒子の数を設定する設定手段とを備えることを特徴とする。
【００１０】
第１発明の荷電制御型インクジェットプリンタでは、印刷する印刷列の各文字及び／または記号における縦ドット数を比較してその最大値を自動的に求める。そして、求めた最大値に基づいて、連続的に噴射されたインク粒子を帯電させる際の帯電電圧の大きさ及び／または印刷に関与する隣合ったインク粒子間の印刷に関与しない間引くべきインク粒子の数を自動的に設定する。
【００１２】
第１発明に係る荷電制御型インクジェットプリンタによれば、ユーザが縦ドット数を指定することなく、自動的に最適な帯電電圧の大きさ及び／または印刷に関与する隣合ったインク粒子間の印刷に関与しない間引くべきインク粒子の数を設定できる。また、縦ドット数を任意に設定した文字または記号を印刷できると共に、縦方向の開始ドット位置及びオフセットドット数などの縦方向の微調整も可能となる。
【００１３】
【発明の実施の形態】
以下、本発明をその実施の形態を示す図面を参照して具体的に説明する。
【００１４】
図１は本発明の荷電制御型インクジェットプリンタの機能ブロック図である。図において、１はＭＰＵであり、ＭＰＵ１は、入力部２，表示部３，印刷部４，ＲＯＭ５，ＲＡＭ６と接続されていて、それらの各ハードウェアの動作を制御する。
【００１５】
入力部２は、ユーザによる印刷内容の編集、印刷開始などの外部入力を受け付ける。表示部３は、編集された印刷内容，設定されている帯電電圧データなどを表示する。印刷部４は、インクの微細な粒子をノズルから噴射させ、そのインク粒子を後述するように設定された最適な帯電電圧の大きさ，印刷に関与する隣合ったインク粒子間の印刷に関与しない間引くべきインク粒子の数（以下、間引きインク粒子数という）に従って帯電させ、偏向電極の間を通過させて被印刷物の所定位置に打ちつけ、ドットパターンを被印刷物に形成することにより、複数の文字及び／または記号を含む１または複数の印刷列を印刷する。
【００１６】
ＲＯＭ５は、このような印刷部４による印刷処理の手順、後述する最大総縦ドット数を求める手順、複数種類の帯電電圧の大きさ，間引きインク粒子数などを格納している。ＲＡＭ６は、後述する最大総縦ドット数を求める際の中間データ、設定した帯電電圧の大きさ，間引きインク粒子数、ユーザにより編集された印刷内容などを記憶する。
【００１７】
以下、１つの印刷列を印刷する場合（第１発明）を第１実施の形態、複数の印刷列を印刷する場合（第２発明）を第２実施の形態として、印刷列として複数の文字を並べた文字列を例にして、それぞれ具体的に説明する。
【００１８】
（第１実施の形態）
図２は、第１実施の形態による本発明の荷電制御型インクジェットプリンタにおける動作の手順を示すフローチャートである。まず、ユーザが入力部２を介して印字すべき内容（文字列における各文字の種類，各文字自体の縦ドット数，各文字におけるオフセットドット数など）を編集する（ステップＳ１）。編集された文字列の印字内容はＲＡＭ６に格納される。
【００１９】
そして、このように編集された印字する文字列の最初の文字のデータ（文字自体の縦ドット数ａ，オフセットドット数ｂ）をＲＡＭ６から読み出す（ステップＳ２）。読み出した文字自体の縦ドット数ａとオフセットドット数ｂとを加算して、その文字の総縦ドット数ｃを算出する（ステップＳ３）。算出したｃを仮の最大総縦ドット数ＸとしてＲＡＭ６に記憶する（ステップＳ４）。
【００２０】
そして、文字列の次の文字のデータ（文字自体の縦ドット数ａ，オフセットドット数ｂ）をＲＡＭ６から読み出し（ステップＳ５）、読み出した文字自体の縦ドット数ａとオフセットドット数ｂとを加算して、その文字の総縦ドット数ｃを算出する（ステップＳ６）。算出したｃとＲＡＭ６に記憶されているＸとを比較する（ステップＳ７）。ｃがＸより大きい場合には（Ｓ７：ＹＥＳ）、ＲＡＭ６でのＸをそのｃに更新する（ステップＳ８）。
【００２１】
印字する文字列のすべての文字について処理が終了したか否かを判断し（ステップＳ９）、終了していない場合には（Ｓ９：ＮＯ）、同様に、次の文字の総縦ドット数ｃを算出し（Ｓ５，Ｓ６）、ＲＡＭ６に記憶されているＸと比較し（Ｓ７）、ｃがＸより大きければ（Ｓ７：ＹＥＳ）ＲＡＭ６のＸを更新し（Ｓ８）、ｃがＸ以下であれば（Ｓ７：ＮＯ）、何もしないで次の文字の処理に移る。以上のような処理を、印字する文字列の最後の文字まで終了した場合（Ｓ９：ＹＥＳ）、印字する文字列における総縦ドット数の最大値がＸとしてＲＡＭ６に記憶されることになる。
【００２２】
そのＸの値に応じて、最適な帯電電圧の大きさ，間引きインク粒子数を設定する（ステップＳ１０）。本例では、３種の帯電電圧の大きさ及び間引きインク粒子数を規定するデータ（第１データＤ１，第２データＤ２，第３データＤ３）がＲＯＭ５に準備されており、１≦Ｘ≦５である場合には第１データＤ１、５＜Ｘ≦７である場合には第２データＤ２、７＜Ｘ≦１０である場合には第３データＤ３をＲＯＭ５から読み出して、ＲＡＭ６に格納するものとする。
【００２３】
そして、入力部２から印字指示が入力されたか否かを判断する（ステップＳ１１）。印字指示が入力された場合（Ｓ１１：ＹＥＳ）、印字部４を動作させ、編集された文字列を、設定されたデータ（最適な帯電電圧の大きさ，間引きインク粒子数）に従って印字する（ステップＳ１２）。
【００２４】
以下、この第１実施の形態の具体例について説明する。図３は、印字すべき文字列の一例を示している。この文字列はＡ〜Ｅの５文字にて構成され、各文字においてそれ自体の縦ドット数ａとオフセットドット数ｂとが設定されている。これらの５文字についての文字自体の縦ドット数ａ，オフセットドット数ｂ，総縦ドット数ｃの関係は、下記表１のようになる。
【００２５】
【表１】
0004430151.tif 000002
【００２６】
このような５文字について、図２のフローチャートに従って、最適なデータを設定し、印字処理を行う。まず、最初の文字Ａの文字自体の縦ドット数ａ（＝５）及びオフセットドット数ｂ（＝１）をチェックし（Ｓ２）、その総縦ドット数ｃ（＝６）を求めて（Ｓ３）Ｘへ格納する（Ｓ４）。次の文字Ｂの文字自体の縦ドット数ａ（＝５）及びオフセットドット数ｂ（＝１）をチェックし（Ｓ５）、その総縦ドット数ｃ（＝６）を求め（Ｓ６）、そのｃとＸとを比較する（Ｓ７）。このｃはＸより大きくないので、Ｘは更新しない。
【００２７】
以下同様に、各文字Ｃ，Ｄ，Ｅについて、文字自体の縦ドット数ａ及びオフセットドット数ｂをチェックし（Ｓ５）、その総縦ドット数ｃを求め（Ｓ６）、そのｃとＸとを比較する（Ｓ７）。そして、Ｘよりｃが大きい場合にはＸをそのｃに更新する（Ｓ８）。このようにすると、文字Ａ〜Ｅにおける総縦ドット数ｃの最大値は文字Ｄ，Ｅの８ドットであるので、最終的には、Ｘ＝８が格納される。そしてこのＸ＝８に応じて、最適なデータ（最適な帯電電圧の大きさ，間引きインク粒子数）として、第３データＤ３を設定する（Ｓ１０）。
【００２８】
そして、この第３データＤ３に従って、５個の文字Ａ〜Ｅから構成される文字列を印字する（Ｓ１２）。その印字例を図４に示す。図４では、●が印字するドット、○が印字しないドットを示す。
【００２９】
このように、文字列の中に文字自体の縦ドット数及び／またはオフセットドット数が異なる文字が混在していても、それらの文字における最も大きい総縦ドット数を自動的に求め、求めた最大総縦ドット数に応じて帯電電圧の大きさ，間引きインク粒子数を自動設定するので、ユーザが縦ドット数を指定する必要がなく、任意の縦ドット数の文字を印字することが可能である。また、文字の印字開始縦ドット位置を変更でき、縦方向の微調整も可能である。例えば、上記例では、総縦ドット数が８ドットに応じた帯電電圧の大きさ，間引きインク粒子数が設定されるので、総縦ドット数が６ドットである文字Ａ，Ｂについては、その開始縦ドット位置を２ドットの範囲内で微調整できる。
【００３０】
ところで、文字列においては、同じ印字条件の文字が複数個続くことが多いと考えられる。よって、このような場合には、印字する文字列を同じ印字条件を有する１または複数の文字にブロック化し、各ブロックの総縦ドット数を比較し、それらの総縦ドット数の最大値に基づいて、帯電電圧の大きさ，間引きインク粒子数を設定するようにしても良い。例えば、上記例では、下記表２に示すように、同じ印字条件の文字毎に３つのブロックに分けて処理を行うことができる。
【００３１】
【表２】
0004430151.tif 000003
【００３２】
（第２実施の形態）
次に、複数の文字列を印字する場合の第２実施の形態について説明する。なお、以下では、２行の文字列を印字する場合を例とする。図５は、第２実施の形態による本発明の荷電制御型インクジェットプリンタにおける動作の手順を示すフローチャートである。まず、ユーザが入力部２を介して印字すべき内容（各文字列における各文字の種類，各文字自体の縦ドット数，各文字におけるオフセットドット数、２つの文字列の行間ドット数など）を編集する（ステップＳ２１）。編集された各文字列の印字内容はＲＡＭ６に格納される。
【００３３】
そして、最初の文字位置における２つの文字列の文字のデータ（一方の文字列の文字自体の縦ドット数ｄ１及びオフセットドット数ｅ１，他方の文字列の文字自体の縦ドット数ｄ２及びオフセットドット数ｅ２）と２つの文字列の行間のデータ（行間ドット数ｆ）とをＲＡＭ６から読み出す（ステップＳ２２）。読み出したこれらの文字自体の縦ドット数ｄ１，ｄ２、オフセットドット数ｅ１，ｅ２及び行間ドット数ｆを加算して、最初の文字位置における総縦ドット数ｇを算出する（ステップＳ２３）。算出したｇを仮の最大総縦ドット数ＸとしてＲＡＭ６に記憶する（ステップＳ２４）。
【００３４】
そして、次の文字位置における各文字列の次の文字のデータ（文字自体の縦ドット数ｄ１及びオフセットドット数ｅ１，文字自体の縦ドット数ｄ２及びオフセットドット数ｅ２）と２つの文字列の行間のデータ（行間ドット数ｆ）とをＲＡＭ６から読み出し（ステップＳ２５）、これらの各値を加算してその文字位置における総縦ドット数ｇを算出する（ステップＳ２６）。算出したｇとＲＡＭ６に記憶されているＸとを比較する（ステップＳ２７）。ｇがＸより大きい場合には（Ｓ２７：ＹＥＳ）、ＲＡＭ６でのＸをそのｇに更新する（ステップＳ２８）。
【００３５】
印字するすべての文字位置について処理が終了したか否かを判断し（ステップＳ２９）、終了していない場合には（Ｓ２９：ＮＯ）、同様に、次の文字位置における総縦ドット数ｇを算出し（Ｓ２５，Ｓ２６）、ＲＡＭ６に記憶されているＸと比較し（Ｓ２７）、ｇがＸより大きければ（Ｓ２７：ＹＥＳ）ＲＡＭ６のＸを更新し（Ｓ２８）、ｇがＸ以下であれば（Ｓ２７：ＮＯ）、何もしないで次の文字位置における処理に移る。以上のような処理を、印字する文字列の最後の文字位置まで終了した場合（Ｓ２９：ＹＥＳ）、各文字位置における総縦ドット数の最大値がＸとしてＲＡＭ６に記憶されることになる。
【００３６】
そのＸの値に応じて、最適な帯電電圧の大きさ，間引きインク粒子数を設定する（ステップＳ３０）。本例では、３種の帯電電圧の大きさ及び間引きインク粒子数を規定するデータ（第１データＤ４，第２データＤ５，第３データＤ６）がＲＯＭ５に準備されており、１≦Ｘ≦１２である場合には第１データＤ４、１２＜Ｘ≦２０である場合には第２データＤ５、２０＜Ｘ≦３２である場合には第３データＤ６をＲＯＭ５から読み出して、ＲＡＭ６に格納するものとする。
【００３７】
そして、入力部２から印字指示が入力されたか否かを判断する（ステップＳ３１）。印字指示が入力された場合（Ｓ３１：ＹＥＳ）、印字部４を動作させ、編集された２つの文字列を設定されたデータ（帯電電圧の大きさ，間引きインク粒子数）に従って印字する（ステップＳ３２）。
【００３８】
以下、この第２実施の形熊の具体例について説明する。図６は、印字すべき２つの文字列の一例を示している。一方の文字列はＡ〜Ｅのアルファベット５文字にて構成されて各文字においてその文字自体の縦ドット数ｄ１とオフセットドット数ｅ１とが設定されており、他方の文字列はア〜オの片仮名５文字にて構成されて各文字においてその文字自体の縦ドット数ｄ２とオフセットドット数ｅ２とが設定されている。更に、２つの文字列の行間ドット数ｆも設定されている。また、これらの２つの文字列についての各文字位置における文字自体の縦ドット数ｄ１，ｄ２、オフセットドット数ｅ１，ｅ２、行間ドット数ｆ、総縦ドット数ｇの関係は、下記表３のようになる。
【００３９】
【表３】
0004430151.tif 000004
【００４０】
このような２文字列１０文字について、図５のフローチャートに従って、最適なデータ（帯電電圧の大きさ，間引きインク粒子数）を設定し、印字処理を行う。まず、最初の文字位置における文字Ａ，アの文字自体の縦ドット数ｄ１（＝５），ｄ２（＝６）及びオフセットドット数ｅ１（＝１），ｅ２（＝１）と、２つの文字列の行間ドット数ｆ（＝２）とをチェックし（Ｓ２２）、その総縦ドット数ｇ（＝１５）を求めて（Ｓ２３）Ｘへ格納する（Ｓ２４）。次の文字位置における文字Ｂ，イの文字自体の縦ドット数ｄ１（＝５），ｄ２（＝６）及びオフセットドット数ｅ１（＝１），ｅ２（＝１）と、２つの文字列の行間ドット数ｆ（＝２）とをチェックし（Ｓ２５）、その総縦ドット数ｇ（＝１５）を求め（Ｓ２６）、そのｇとＸとを比較する（Ｓ２７）。このｇはＸより大きくないので、Ｘは更新しない。
【００４１】
以下同様に、各文字位置におけるＣ，ウ、Ｄ，エ、Ｅ，オについて、文字自体の縦ドット数ｄ１，ｄ２及びオフセットドット数ｅ１，ｅ２と、行間ドット数ｆとをチェックし（Ｓ２５）、その総縦ドット数ｇを求め（Ｓ２６）、そのｇとＸとを比較する（Ｓ２７）。そして、Ｘよりｇが大きい場合にはＸをそのｇに更新する（Ｓ２８）。このようにすると、すべての文字位置における総縦ドット数ｇの最大値は文字Ｅ，オの１９ドットであるので、最終的には、Ｘ＝１９が格納される。そしてこのＸ＝１９に応じて、最適なデータ（帯電電圧の大きさ，間引きインク粒子数）として、第２データＤ５を設定する（Ｓ３０）。そして、この第２データＤ５に従って、１０個の文字Ａ〜Ｅ，ア〜オから構成される２つの文字列を印字する（Ｓ３２）。
【００４２】
このように、複数の文字列についても、更に行間ドット数ｆを考慮することにより、１つの文字列を印字する第１実施の形態と同様に、ユーザが縦ドット数を指定することなく、任意の縦ドット数の文字を印字することができる。この複数の文字列を印字する第２実施の形態では、行間を変化させると、自動的に設定されるデータ（帯電電圧の大きさ，間引きインク粒子数）が変更になることがある。例えば、上記例において、行間ドット数ｆを２から５に変化させると、最大総縦ドット数Ｘ＝２２ドットに応じたデータ（帯電電圧の大きさ，間引きインク粒子数）が設定されるので、設定されるデータが第３データＤ６に変更となる。
【００４３】
なお、第２実施の形態では、２つの文字列を印字する場合について説明したが、３つ以上の文字列を印字する場合についても全く同様に行えることは言うまでもない。
【００４４】
なお、上記例では、ソフトウェア的に総縦ドット数ｃ，ｇの最大値を求めるようにしたが、ハードウェア的にこれらの総縦ドット数ｃ，ｇの最大値を求めることも可能である。図７は、このような場合の本発明の荷電制御型インクジェットプリンタの機能ブロック図である。図７において、図１と同一番号を付した部分は同一または同様な部分を示す。
【００４５】
図１に示す例では、ＭＰＵ１内にてソフトウェア的に、総縦ドット数ｃ，ｇの最大値を求めたが、この図７に示す例では、これらの総縦ドット数ｃ，ｇの最大値を求めるために、加算器７，比較器８及び最大値格納器９とを備えている。加算器７は、データ（第１実施の形態ではデータａ，ｂ、第２実施の形態ではデータｄ１，ｅ１，ｄ２，ｅ２，ｆ）の加算処理を行い、比較器８は、加算器７の加算結果とそれまでの最大値とを比較し、最大値より小さい加算結果は捨て、最大値より大きい加算結果を新しい最大値とし、最大値格納器９は、最終的に決定された総縦ドット数ｃ，ｇの最大値を格納する。
【００４６】
なお、上述した例では、複数の文字を含む１または複数の文字列を印字する場合について説明したが、複数の記号を含む１または複数の記号列、または、複数の文字及び記号が混在する１または複数の印刷列を印刷する場合についても、全く同様に行えることは勿論である。
【００４７】
また、上述した例では、文字（または記号）自体の縦ドット数とその文字（または記号）におけるオフセットドット数との和、つまり、オフセットドットも含めた各文字（または記号）の縦ドット数の最大値を求めるようにしたが、オフセットドットは含まずに文字（または記号）自体の縦ドット数の最大値を求めるようにしても同様に行えることは言うまでもない。
【００４８】
【発明の効果】
以上のように本発明では、１または複数の印刷列における総縦ドット数の最大値を求め、求めた最大値に基づいて、連続的に噴射されたインク粒子を帯電させる際の帯電電圧の大きさ及び／または間引きインク粒子数を自動的に設定するようにしたので、縦何ドットで印刷するかをユーザが指定する手間がいらず、任意の縦ドット数の文字及び／または記号をきれいに印刷することができ、また、縦方向の開始ドット位置及びオフセットドット数などの縦方向の微調整も可能である。
【図面の簡単な説明】
【図１】本発明の荷電制御型インクジェットプリンタの機能ブロック図である。
【図２】第１実施の形態による本発明の荷電制御型インクジェットプリンタにおける動作の手順を示すフローチャートである。
【図３】第１実施の形態における印字すべき文字列の一例を示す図である。
【図４】第１実施の形態における文字列の印字例を示す図である。
【図５】第２実施の形態による本発明の荷電制御型インクジェットプリンタにおける動作の手順を示すフローチャートである。
【図６】第２実施の形態における印字すべき文字列の一例を示す図である。
【図７】本発明の荷電制御型インクジェットプリンタの機能ブロック図である。
【符号の説明】
１  ＭＰＵ
２  入力部
４  印刷部
５  ＲＯＭ
６  ＲＡＭ
７  加算器
８  比較器
９  最大値格納器
【図１】
0004430151.tif 000005
【図２】
0004430151.tif 000006
【図３】
0004430151.tif 000007
【図４】
0004430151.tif 000008
【図５】
0004430151.tif 000009
【図６】
0004430151.tif 000010
【図７】
0004430151.tif 000011